(57)【要約】【課題】利用者が行う集塵フィルターの定期的な清掃作業の負担を軽減すること。【解決手段】空気中の埃を集塵するエアフィルター２と、エアフィルター２を保持するフィルター枠７に、吸引装置９と空気流入口１７と備えたダクト１５を備え、エアフィルター２に付着した埃を除去する除去部材１２を備えた可動式埃除去部８を、除去部材１４を備えた固定式埃除去部１３とこすりあわせることにより、可動式埃除去部８に付着した埃を離脱させることで、エアフィルター２に付着した埃を自動で除去し、除去した埃を自動で屋外へ排出することを可能とし、使用者の定期的なメンテナンス作業を大幅に低減することが出来る。【選択図】図１
2007101116.tif 000002
【特許請求の範囲】
【請求項１】
熱交換器を通過する空気中の埃を集塵するエアフィルターと、前記エアフィルターに付着した埃を除去する可動式除去部材と、前記エアフィルターを保持する枠に、固定式除去部材を備え、前記可動式除去部材と前記固定式除去部材とをこすり合わせることにより、前記可動式除去部材に付着した埃を離脱させることを特徴とする空気調和器のフィルター装置。
【発明の詳細な説明】
【技術分野】
【０００１】
本発明は、エアフィルターの清掃を自動的に行うようにした空気調和機に関するものである。
【背景技術】
【０００２】
従来、空気調和機のフィルター装置は、熱交換器の上流側に、熱交換器および、空気調和機内部への埃の侵入を防止するために、エアフィルターが配置されている。エアフィルターは自由に着脱することができ、取り外してエアフィルターに付着した埃を掃除しやすくなっている。
【０００３】
このような構成のフィルター装置では、頻繁なメンテナンスを必要とし、メンテナンスが行われるまでの間には、埃によってエアフィルターが徐々に目詰まりしてゆき、その結果、熱交換器を通過する風量も徐々に低下し、消費電力の増大に繋がる。
【０００４】
このため、フィルターのメンテナンスの手間を低減する目的で、エアフィルターに付着した埃をブラシにて定期的に清掃する自動清掃装置が考案されている（例えば特許文献１〜２参照）。
【特許文献１】特開２００１−９９４７９号公報
【特許文献２】特開２００５−２４１３５号公報
【発明の開示】
【発明が解決しようとする課題】
【０００５】
しかしながら、前記従来の構成では、たまった埃を人手により捨てる必要があり、メンテナンスの手間が大幅に軽減されるものではなかった。
【０００６】
こうした観点から、エアフィルターの自動清掃装置としては、フィルターに付着した埃をブラシで掻き落とした後、吸引清掃し、吸引された埃を集塵装置に集塵もしくは室外へ排出する清掃方法が好ましい。
【０００７】
本発明は、前記従来の課題を解決するものであり、空気調和機のメンテナンスの煩わしさを大幅に低減するフィルター装置を提供するものである。
【課題を解決するための手段】
【０００８】
前記従来の課題を解決するために、本発明のフィルター装置は、熱交換器を通過する空気中の埃を集塵するエアフィルターと、前記エアフィルターに付着した埃を除去する可動式除去部材と、前記エアフィルターを保持する枠に、固定式除去部材を備えている。
【０００９】
そして、前記可動式除去部材と前記固定式除去部材とをこすり合わせることにより、前記可動式除去部材に付着した埃を離脱させる構成としたものである。
【００１０】
この構成によれば、フィルターの表面に付着した粉塵を、自動的に除去するとともに、吸引装置で吸引して、集塵装置に集塵もしくは屋外へ排出することが可能になる。
【発明の効果】
【００１１】
本発明のフィルター装置は、空気調和機の利用者の定期的なメンテナンスの負担を低減でき、同時に長期間の運転に対する性能の低下を抑えることが可能な空気調和機を提供することが出来る。
【発明を実施するための最良の形態】
【００１２】
第１の発明は、本発明のフィルター装置は、熱交換器を通過する空気中の埃を集塵するエアフィルターと、前記エアフィルターに付着した埃を除去する可動式除去部材と、前記エアフィルターを保持する枠に、固定式除去部材を備えている。
そして、前記可動式除去部材と前記固定式除去部材とをこすり合わせることにより、前記可動式除去部材に付着した埃を離脱させる構成としたものである。
この構成によれば、フィルターの表面に付着した粉塵を、自動的に除去するとともに、吸引装置で吸引して、集塵装置に集塵もしくは屋外へ排出することが可能になる。
【００１３】
こうすることにより、本発明のフィルター装置は、空気調和機の利用者の定期的なメンテナンスの負担を低減でき、同時に長期間の運転に対する性能の低下を抑えることが可能な空気調和機を提供することが出来る。
【００１４】
以下、本発明の実施の形態について図面を参照しながら説明する。なお、この実施の形態によって本発明が限定されるものではない。
【００１５】
（実施の形態１）
図１は本発明の実施の形態１におけるフィルター装置１の斜視図であり、図２は図１におけるＡ−Ａ断面であり、図３は図１におけるＢ−Ｂ断面である。
【００１６】
図１において、フィルターワク７には、熱交換器を通過する空気中の埃を除去するエアフィルター２と、可動式埃除去部８を備え、可動式埃除去部８は、フィルターワク７の上下端に設置したガイドレール６に図２に示すようなローラー１１を介して支持されており、左右に移動することが可能な構成となっている。ここで可動式埃除去部８はフィルターワク７の下部に備えたワイヤー３と駆動モーター４で、左右に駆動される。
【００１７】
可動式埃除去部８は、図２および図３に示すような除去部材１２を備えている。
この除去部材１２は例えば毛足の先端が図３のようにフィルター２の表面に対して斜め方向に向いたブラシの様なものが好ましい。固定式埃除去部１３は、図１に示す様に、フィルターワク７に固定されており、除去部材１４を備えている。
【００１８】
この除去部材１４も例えば図３に示す様に、毛足の先端が図３のようにフィルター２の表面に対して斜め方向に向いたブラシの様なものが好ましい。
【００１９】
図１に示す様に、ダクト１５は、吸引口１６と空気流入口１７を備えている。
【００２０】
吸引装置９は吸引口１５でダクト１５と連結されており、また、屋外へ引回される排気ダクト１０が連結されている。また、図３に示す様に、ダクト１５は、シール材１８も備えている。
【００２１】
以上のように構成されたフィルター装置１について、以下その動作、作用を説明する。フィルター装置１の動作停止時は、可動式埃収納部８はフィルターワク７の右端で待機しているものとする。
【００２２】
フィルター装置１を作動させると、可動式埃除去部８は、除去部材１２でエアフィルター２に付着した埃を掻き寄せながら左方向へ移動してゆく。
【００２３】
可動式埃除去部８の除去部材１２と、固定式埃除去部１３の除去部材１４とが接触する場所で、可動式埃除去部を数回左右に往復させる。
【００２４】
こうすることにより、可動式埃除去部８の除去部材１２に付着した埃は、固定式埃除去部１３の除去部材１４との相互作用で、可動式埃除去部８の除去部材１２から離脱することとなる。
【００２５】
可動式埃除去部８をさらに、左方向へ進めると、可動式埃除去部８が、ダクト１５に備えられた、シール材１８に密着することとなる。
【００２６】
そうすることで、可動式埃除去部８とダクト１５より、空気流通路が形成される。この状態で、吸引装置９を作動させると、ダクト１５に設けられた空気流入口１７から空気が流入し、この流入する空気の勢いにより、ダクト１５内の埃が吸引口１６を通過して、吸引装置９へ吸引される。吸引された埃は、排気ダクト１０を通過して、屋外へ排出されることとなる。
【００２７】
これにより、フィルターの表面に付着した粉塵を、自動的に除去することが可能となり、空気調和機の利用者の定期的なメンテナンスの負担を低減でき、同時に長期間の運転に対する性能の低下を抑えることが可能な空気調和機を提供することが出来る。
【００２８】
尚、本実施例では、可動式埃収納部８をフィルターワク７に沿って左右に移動させたが、フィルターファク７に沿って上下に移動させてもかまわない。
【産業上の利用可能性】
【００２９】
以上のように、本発明にかかる空気調和機のフィルター装置は、エアフィルターに付着した埃を自動的に清掃できるメンテナンス性を備えており、空気清浄機や制御盤などの空気中の埃を集塵するエアフィルターを装着した機器に適用できる。
【図面の簡単な説明】
【００３０】
【図１】本発明の実施の形態１におけるフィルター装置の斜視図
【図２】本発明の実施の形態１におけるフィルター装置の断面図（図１のＡ−Ａ断面）
【図３】本発明の実施の形態１におけるフィルター装置の断面図（図１のＢ−Ｂ断面）
【図４】本発明の実施の形態１における空気調和機の断面図（図５のＩ−Ｉ断面）
【図５】本発明の実施の形態１における空気調和機の正面図
【符号の説明】
【００３１】
１  フィルター装置
２  エアフィルター
３    ワイヤー
４    駆動モーター
５  プーリー
６  ガイドレール
７  フィルターワク
８  可動式埃除去部
９  吸引装置
１０  排気ダクト
１１  ローラー
１２  除去部材
１３  固定式埃除去部
１４  除去部材
１５  ダクト
１６  吸引口
１７  空気流入口
１８  シール材
１９  熱交換器
２０  ファン
２１  風回路
２２  吹き出し口
２３  本体
【図１】
2007101116.tif 000003
【図２】
2007101116.tif 000004
【図３】
2007101116.tif 000005
【図４】
2007101116.tif 000006
【図５】
2007101116.tif 000007